(57)【要約】【課題】この発明は、低温環境下であっても容易にクリップガイド取付作業を行うことを可能とするクリップガイド取付作業支援装置を提供することを目的とする。【解決手段】この発明に係るクリップガイド取付作業支援装置６は、貫通孔８が形成された筐体７と、貫通孔８の内部に設けられた熱源１３とを備える。貫通孔８は、筐体７の第１の側面から第２の側面まで貫通し、乗客コンベアのクリップガイド５を挿入可能な大きさに形成される。第１の側面と第２の側面とは互いに反対の方向を向く。【選択図】図６
2020152551.tif 000002
【特許請求の範囲】
【請求項１】
貫通孔が形成された筐体と、
前記貫通孔の内部に設けられた熱源と、
を備え、
前記貫通孔は、前記筐体の第１の側面から第２の側面まで貫通し、乗客コンベアのクリップガイドを挿入可能な大きさに形成され、
前記第１の側面と前記第２の側面とは互いに反対の方向を向くクリップガイド取付作業支援装置。
【請求項２】
前記熱源は、前記第１の側面側から見て、前記貫通孔に挿入されたクリップガイドの屈曲部を取り囲むように配置された請求項１に記載のクリップガイド取付作業支援装置。
【請求項３】
前記貫通孔は、前記第１の側面に平行な断面の形状が長方形であり、
前記貫通孔の前記断面の短手方向の長さは、クリップガイドの横幅よりも短い請求項１又は請求項２に記載のクリップガイド取付作業支援装置。
【請求項４】
前記貫通孔の内部に設けられ、前記貫通孔に挿入されたクリップガイドの姿勢の変動を抑制する保持部、
を更に備えた請求項３に記載のクリップガイド取付作業支援装置。
【請求項５】
前記保持部は、前記貫通孔の前記断面の長手方向に沿った軸を中心に回転可能なローラーを有する請求項４に記載のクリップガイド取付作業支援装置。
【請求項６】
前記ローラーは、前記貫通孔に挿入されたクリップガイドの内側の面に下から接触する請求項５に記載のクリップガイド取付作業支援装置。
【請求項７】
前記筐体を作業者の身体に支持させる装着帯、
を更に備え、
前記装着帯は、前記筐体の側面のうち前記貫通孔が開口していない複数の側面に取付可能である請求項１から請求項６のいずれか１項に記載のクリップガイド取付作業支援装置。
【請求項８】
前記筐体を乗客コンベアのガイドレールに支持させる支持具、
を更に備え、
前記支持具は、前記筐体の側面のうち前記貫通孔が開口していない複数の側面に取付可能である請求項１から請求項７のいずれか１項に記載のクリップガイド取付作業支援装置。
【発明の詳細な説明】
【技術分野】
【０００１】
この発明は、クリップガイド取付作業支援装置に関する。
【背景技術】
【０００２】
乗客コンベアの移動手摺を案内するガイドレールには、例えば、クリップガイドが取り付けられる。移動手摺は、例えば、クリップガイドの上からガイドレールに取り付けられる。下記特許文献１には、クリップガイドの取り付けに関する技術が開示されている。
【先行技術文献】
【特許文献】
【０００３】
【特許文献１】特開２０１２−１６６９３８号公報
【発明の概要】
【発明が解決しようとする課題】
【０００４】
クリップガイドは、ガイドレールの縁部を挟み込むように取り付けられる。クリップガイドは気温の低下に伴って硬くなるため、低温環境下でのクリップガイド取付作業は容易でない。
【０００５】
この発明は、上記の課題を解決するためになされた。その目的は、低温環境下であっても容易にクリップガイド取付作業を行うことを可能とするクリップガイド取付作業支援装置を提供することである。
【課題を解決するための手段】
【０００６】
この発明に係るクリップガイド取付作業支援装置は、貫通孔が形成された筐体と、貫通孔の内部に設けられた熱源とを備える。貫通孔は、筐体の第１の側面から第２の側面まで貫通し、乗客コンベアのクリップガイドを挿入可能な大きさに形成される。第１の側面と第２の側面とは互いに反対の方向を向く。
【発明の効果】
【０００７】
この発明によれば、内部に熱源が設けられた貫通孔は、筐体の第１の側面から第２の側面まで貫通し、乗客コンベアのクリップガイドを挿入可能な大きさに形成されている。このため、低温環境下であっても容易にクリップガイド取付作業を行うことが可能となる。
【図面の簡単な説明】
【０００８】
【図１】エスカレーターの要部を示す図である。
【図２】移動手摺及びガイドレールの断面図である。
【図３】クリップガイドの拡大斜視図である。
【図４】実施の形態１におけるクリップガイド取付作業支援装置の第１斜視図である。
【図５】実施の形態１におけるクリップガイド取付作業支援装置の第２斜視図である。
【図６】実施の形態１におけるクリップガイド取付作業支援装置の使い方を説明するための図である。
【図７】実施の形態１におけるクリップガイド取付作業支援装置の使い方を説明するための図である。
【図８】実施の形態１におけるクリップガイド取付作業支援装置の第３斜視図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態では、乗客コンベアの一例として、エスカレーターについて具体的に説明する。動く歩道等の他の乗客コンベアについては、説明を省略する。
【００１１】
実施の形態１．
図１は、エスカレーターの要部を示す図である。図１は、エスカレーターの下部乗降口と下部乗降口から上方に延びる部分とを示している。
【００１２】
エスカレーターは、ステップ１、移動手摺２及び欄干３を備える。ステップ１及び移動手摺２は、上階と下階との間を循環移動する。欄干３は、ステップ１の左右両側に設けられる。欄干３の縁部には、図１に図示しないガイドレールが設けられる。移動手摺２は、ガイドレールによって案内される。
【００１３】
図２は、移動手摺及びガイドレールの断面図である。
【００１４】
移動手摺２の断面は、例えば、Ｃ字状を呈する。ガイドレール４は、長手方向に沿った縁部を備える。縁部は、ガイドレール４の長手方向から見て左右両側に形成されている。
【００１５】
クリップガイド５は、ガイドレール４の縁部を挟み込むように取り付けられる。一方の縁部に取り付けられるクリップガイド５は、他方の縁部に取り付けられるクリップガイド５とは左右反転した向きで取り付けられる。
【００１６】
移動手摺２は、クリップガイド５の上からガイドレール４に取り付けられる。ガイドレール４に取り付けられた状態のクリップガイド５は、移動手摺２の内側の面に接触し得る。
【００１７】
図３は、クリップガイドの拡大斜視図である。
【００１８】
クリップガイド５は、例えば、弾性を有する長尺の部材である。クリップガイド５は、例えば、合成樹脂等の材質で形成される。
【００１９】
クリップガイド５は、例えば、爪部５ａ、上側平坦部５ｂ、屈曲部５ｃ及び下側平坦部５ｄを備える。爪部５ａ、上側平坦部５ｂ、屈曲部５ｃ及び下側平坦部５ｄのそれぞれは、クリップガイド５の長手方向に沿って設けられる。
【００２０】
爪部５ａは、上側平坦部５ｂの一縁部から下方に連続する。上側平坦部５ｂの他縁部は、屈曲部５ｃの上部に連続する。屈曲部５ｃの下部は、下側平坦部５ｄに連続する。下側平坦部５ｄは、上側平坦部５ｂと対向する。下側平坦部５ｄは、例えば、上側平坦部５ｂよりも短く形成される。
【００２１】
ガイドレール４に取り付けられる際に、クリップガイド５は、一時的に変形される。作業者は、例えば、下側平坦部５ｄが上側平坦部５ｂから離れるようにクリップガイド５を変形させた状態で、ガイドレール４の縁部を横から挟み込むようにしてクリップガイド５を取り付ける。
【００２２】
図４は、実施の形態１におけるクリップガイド取付作業支援装置の第１斜視図である。図５は、実施の形態１におけるクリップガイド取付作業支援装置の第２斜視図である。
【００２３】
図５は、図４における奥側の視点から見たクリップガイド取付作業支援装置６を示す。
【００２４】
クリップガイド取付作業支援装置６は、筐体７を備える。筐体７は、例えば、箱型の形状を呈する。筐体７は、作業者が携帯可能な大きさに形成されている。
【００２５】
筐体７には、トンネル状の貫通孔８が形成される。貫通孔８は、クリップガイド５を挿入可能な大きさに形成される。
【００２６】
貫通孔８は、筐体７の一つの側面から他の側面まで横向きに貫通する。貫通孔８は、例えば、上下方向から見た筐体７の長手方向に沿って形成される。貫通孔８は、例えば、上下方向から見た筐体７の短手方向に沿った二つの側面に開口する。本実施の形態に示す例では、貫通孔８は、側面７ａから側面７ｂまで貫通する。即ち、貫通孔８は側面７ａ及び側面７ｂに開口する。側面７ａ及び側面７ｂは、互いに反対の方向を向く。貫通孔８は、例えば、上下方向から見た筐体７の長手方向に沿った二つの側面に開口しない。本実施の形態に示す例では、貫通孔８は側面７ｃ及び側面７ｄに開口しない。側面７ｃ及び側面７ｄは、互いに反対の方向を向く。
【００２７】
クリップガイド取付作業支援装置６は、例えば、装着帯９及び留め具１０を備える。装着帯９は、例えば、留め具１０で筐体７に取り付けられる。図４及び図５は、腰に巻くことで筐体７を作業者の身体に支持させる装着帯９を例示する。
【００２８】
留め具１０は、例えば、図４及び図５に示すように、貫通孔８が開口していない二つの側面７ｃ及び７ｄの両方に設けられる。装着帯９は、例えば、留め具１０に対して着脱可能である。この場合、装着帯９は、筐体７の側面のうち、貫通孔８の長手方向に沿った側面であって貫通孔８の両側に形成された二つの側面、即ち側面７ｃ及び７ｄのいずれにも取付可能である。
【００２９】
貫通孔８の内部には、図４及び図５に図示しない熱源が設けられる。熱源としては、例えば、電熱線又はセラミックヒーター等が用いられる。熱源の温度は、例えば、最高で３０℃から４０℃程度まで上昇可能である。熱源は、温度調整機能を有してもよい。
【００３０】
クリップガイド取付作業支援装置６は、例えば、操作部１１及び報知部１２を備える。操作部１１及び報知部１２は、例えば、筐体７の上面に設けられる。操作部１１としては、例えば、押しボタン又は調節つまみ等が設けられる。報知部１２としては、例えば、ランプ、ディスプレイ又はスピーカー等が設けられる。
【００３１】
操作部１１は、作業者による操作を受け付ける機能を有する。操作部１１は、例えば、熱源の動作を開始又は終了させるための操作を受け付ける。操作部１１は、例えば、熱源の温度を調整するための操作を受け付ける。
【００３２】
報知部１２は、視覚情報及び音声情報の少なくとも一方を報知する機能を有する。報知部１２は、例えば、熱源の現在の温度に基づく情報を報知してもよい。報知部１２は、例えば、経過時間に基づく情報を報知してもよい。
【００３３】
クリップガイド取付作業支援装置６は、例えば、図示しないバッテリーを備える。熱源、操作部１１及び報知部１２等は、例えば、バッテリーから供給される電力によって動作する。なお、クリップガイド取付作業支援装置６は、例えば、電源コンセントに接続される電源プラグを備えてもよい。
【００３４】
図６及び図７は、実施の形態１におけるクリップガイド取付作業支援装置の使い方を説明するための図である。
【００３５】
クリップガイド取付作業を行う作業者は、例えば、自分の腹部の前方に筐体７が位置するように、装着帯９を腰に装着する。作業者は、図６に示すようにクリップガイド５を貫通孔８に通すことで、熱源によってクリップガイド５を温めながら取付作業を行う。
【００３６】
図７は、クリップガイド５が挿入された状態の貫通孔８を長手方向から見た拡大図である。例えば、図７は、上記状態の貫通孔８を側面７ａ側（図５に示すＡ方向）から見た図に相当する。
【００３７】
図７に示すように、貫通孔８の断面形状は、例えば、長方形を呈する。なお、図７に示す貫通孔８の断面は、側面７ａに平行な断面である。貫通孔８は、例えば、上記断面形状の短手方向（図７に示すＢ方向）の長さがクリップガイド５の断面形状の横幅よりも短く形成される。
【００３８】
貫通孔８の内部には、例えば、複数の熱源１３及び保持部１４が設けられる。保持部１４は、例えば、台座１５及びローラー１６を有する。保持部１４は、例えば、貫通孔８の断面の長手方向（図７に示すＣ方向）において熱源１３とは反対側に配置される。保持部１４は、貫通孔８に挿入されたクリップガイド５の姿勢の変動を抑制する。
【００３９】
複数の熱源１３は、例えば、側面７ａから側面７ｂに至る貫通孔８の全域に設けられる。複数の熱源１３は、例えば、貫通孔８の長手方向、即ち側面７ａ側から見て、貫通孔８に挿入されたクリップガイド５の屈曲部５ｃを取り囲むように配置される。
【００４０】
なお、例えば、複数の熱源１３の代わりに、側面７ａ側から見て半円状に形成された一つの熱源１３が設けられてもよい。この場合も、熱源１３は、側面７ａ側から見て、貫通孔８に挿入されたクリップガイド５の屈曲部５ｃを取り囲むように配置される。
【００４１】
台座１５は、例えば、貫通孔８の底面に設けられる。台座１５は、例えば、貫通孔８の全域に設けられる。ローラー１６は、貫通孔８の上記断面の長手方向（図７に示すＣ方向）に沿った軸を介して台座１５に支持され、当該軸を中心に回転可能である。ローラー１６は、例えば、貫通孔８に沿って複数設けられる。ローラー１６の幅は、例えば、爪部５ａと下側平坦部５ｄとの間に形成された空間の幅よりも小さい。ローラー１６は、例えば、貫通孔８に挿入されたクリップガイド５の上側平坦部５ｂの内側の面に下から接触する。
【００４２】
装着帯９を腰に装着した作業者は、例えば、ガイドレール４の長手方向に沿って貫通孔８が位置するような向きでステップ１上を移動しながらクリップガイド取付作業を行う。この際に、クリップガイド５は、作業者から見て、貫通孔８の左側開口から右側開口に向かって通されてもよいし、貫通孔８の右側開口から左側開口に向かって通されてもよい。この際に、装着帯９は、必要に応じて、二つの側面７ｃ及び７ｄのうち一方から他方に付け替えられてもよい。
【００４３】
図８は、実施の形態１におけるクリップガイド取付作業支援装置の第３斜視図である。
【００４４】
図８に示すクリップガイド取付作業支援装置６は、支持具１７を備える。支持具１７は、一時的に筐体７をガイドレール４に支持させるために設けられる。
【００４５】
支持具１７は、例えば、ガイドレール４に上から引っ掛けられる構造を有してもよい。支持具１７は、例えば、ゴム等の摩擦が大きい材質で形成されてもよい。支持具１７は、例えば、ガイドレール４を機械的に把持する構造を有してもよい。
【００４６】
支持具１７は、例えば、貫通孔８が開口していない二つの側面７ｃ及び７ｄの両方に設けられる。つまり、支持具１７は、筐体７の側面のうち、貫通孔８の長手方向に沿った側面であって貫通孔８の両側に形成された二つの側面のいずれにも設けられる。支持具１７は、例えば、筐体７に対して着脱可能であってもよい。筐体７は、例えば、装着帯９及び支持具１７のいずれも取付可能に形成されてもよい。
【００４７】
図８に示すクリップガイド取付作業支援装置６を使用する作業者は、例えば、筐体７をガイドレール４上で適宜移動させながらクリップガイド取付作業を行う。この際に、クリップガイド５は、作業者から見て、貫通孔８の左側開口から右側開口に向かって通されてもよいし、貫通孔８の右側開口から左側開口に向かって通されてもよい。この際に、筐体７は、必要に応じて、二つの側面７ｃ及び７ｄのうち一方の支持具１７で支持される状態から他方の支持具１７で支持される状態に変更されてもよい。
【００４８】
以上で説明した実施の形態１によれば、内部に熱源１３が設けられた貫通孔８は、筐体７の一つの側面７ａから他の側面７ｂまで横向きに貫通し、乗客コンベアのクリップガイド５を挿入可能な大きさに形成されている。クリップガイド取付作業支援装置６を使用すれば、クリップガイド５を温めて柔らかくすることができる。このため、低温環境下であっても容易にクリップガイド取付作業を行うことが可能となる。その結果、クリップガイド取付作業に要する時間及び労力を低減することができる。
【００４９】
また、熱源１３は、例えば、貫通孔８の長手方向、例えば側面７ａ側から見て、貫通孔８に挿入されたクリップガイド５の屈曲部５ｃを取り囲むように配置される。この場合、屈曲部５ｃを中心にして開くようにクリップガイド５を変形させ易くすることができる。
【００５０】
また、貫通孔８は、例えば、図７に示す断面形状の短手方向の長さがクリップガイド５の断面形状の横幅よりも短く形成される。この場合、クリップガイド５が貫通孔８の中で回転してよじれることを抑制できる。
【００５１】
また、保持部１４は、例えば、貫通孔８の内部に設けられ、貫通孔８の上記断面の長手方向において熱源１３とは反対側に配置され、貫通孔８に挿入されたクリップガイド５の姿勢の変動を抑制する。この場合、クリップガイド５の屈曲部５ｃを重点的に温めつつ、クリップガイド５のよじれを抑制できる。
【００５２】
また、保持部１４は、例えば、貫通孔８の上記断面の長手方向に沿った軸を中心に回転可能なローラー１６を有する。この場合、貫通孔８の中でクリップガイド５を円滑に移動させることができる。
【００５３】
また、ローラー１６は、例えば、貫通孔８に挿入されたクリップガイド５の内側の面に下から接触する。この場合、クリップガイド５のよじれを効果的に抑制しつつ、貫通孔８の中でクリップガイド５を円滑に移動させることができる。
【００５４】
また、クリップガイド取付作業支援装置６は、例えば、筐体７を作業者の身体に支持させる装着帯９を備える。装着帯９は、例えば、筐体７の側面のうち貫通孔８が開口していない複数の側面７ｃ及び７ｄのいずれにも取付可能である。この場合、作業者から見た筐体７の向きを容易に左右反転させることができる。このため、ガイドレール４の左右対称な縁部のどちらに対しても適した向きでクリップガイド５を温めることができる。
【００５５】
また、クリップガイド取付作業支援装置６は、例えば、筐体７を乗客コンベアのガイドレール４に支持させる支持具１７を備える。支持具１７は、例えば、筐体７の側面のうち貫通孔８が開口していない複数の側面７ｃ及び７ｄのいずれにも取付可能である。この場合、作業者から見た筐体７の向きを容易に左右反転させることができる。このため、ガイドレール４の左右対称な縁部のどちらに対しても適した向きでクリップガイド５を温めることができる。また、筐体７の荷重が作業者の身体に掛からないため、作業者の負担をより軽減できる。
【符号の説明】
【００５６】
１  ステップ
２  移動手摺
３  欄干
４  ガイドレール
５  クリップガイド
５ａ  爪部
５ｂ  上側平坦部
５ｃ  屈曲部
５ｄ  下側平坦部
６  クリップガイド取付作業支援装置
７  筐体
７ａ〜７ｄ  側面
８  貫通孔
９  装着帯
１０  留め具
１１  操作部
１２  報知部
１３  熱源
１４  保持部
１５  台座
１６  ローラー
１７  支持具
【図１】
2020152551.tif 000003
【図２】
2020152551.tif 000004
【図３】
2020152551.tif 000005
【図４】
2020152551.tif 000006
【図５】
2020152551.tif 000007
【図６】
2020152551.tif 000008
【図７】
2020152551.tif 000009
【図８】
2020152551.tif 000010